【手続補正書】
【提出日】平成15年7月18日(2003.7.18)
【手続補正１】
【補正対象書類名】明細書
【補正対象項目名】全文
【補正方法】変更
【補正の内容】
【発明の名称】法枠用型枠及びそれを使用した法枠構造体
【特許請求の範囲】
【請求項１】縦線材(11)と横線材(12)を含む金網で構成されており、縦線材(11)の上端部を曲げて上端縁の横線材(12ａ)に取り付けてある一対の枠体(1,1)と、
上記枠体(1,1)を所要の間隔で向かい合わせに取り付ける連結部材(2)と、
を備えていることを特徴とする、
法枠用型枠。
【請求項２】縦線材(11)と横線材(12)を含むクリンプ金網で構成されており、縦線材(11)の上端部を曲げて上端縁の横線材(12ａ)に取り付けてある一対の枠体(1,1)と、
縦線材(21)と横線材(22)を含んで形成してあり、当該横線材(22)の両端部を上記枠体(1)の縦線材(11)に回動可能に取り付けて、上記枠体(1,1)を所要の間隔で向かい合わせに取り付ける連結部材(2)と、
を備えていることを特徴とする、
法枠用型枠。
【請求項３】縦線材(11)の曲げ部分は、交互に逆方向に曲げられていることを特徴とする、
請求項１または２記載の法枠用型枠。
【請求項４】法枠用型枠に使用される枠体であって、
縦線材(11)と横線材(12)を含むクリンプ金網で構成されており、縦線材(11)は上端部となる部分を曲げて上端縁となる横線材(12ａ)に取り付けてあり、
縦線材(11)の曲げ部分は、交互に逆方向に曲げられていることを特徴とする、
法枠用型枠に使用される枠体。
【請求項５】法面に施工された鉄筋と、
上記鉄筋に固定された請求項１、２または３記載の法枠用型枠(A)と、
上記法枠用型枠(A)内に設けられるコンクリート(6)と、
を含むことを特徴とする、
法枠用構造体。
【発明の詳細な説明】
【０００１】
【発明の属する技術分野】
本発明は法枠用型枠及びそれを使用した法枠構造体に関する。
更に詳しくは、安全で取り扱いがしやすく、法枠構造体の施工を円滑に行うことができる法枠用型枠及びそれを使用した法枠構造体に関する。
【０００２】
【従来技術】
山の傾斜面や切土・盛土の傾斜面等の法面の表面には、法面を覆い押さえて安定させ、地滑り等を防止するようにした鉄筋コンクリート製の法枠構造体が設けられている。
【０００３】
この法枠構造体の形成には法枠用の型枠が用いられる。この法枠用型枠の構造としては、クリンプ金網で形成された平板状の枠体を向かい合わせ、線材を略「井」形状（格子状）や略「キ」形状（串状）に組んで形成された連結材を、上記枠体間に回動可能に架設したものが一般的である。
そして、この法枠用型枠を法面に碁盤の目のように配設した後、法枠用型枠を埋めるようにモルタル類を打設することによって法枠構造体が形成される。
【０００４】
【発明が解決しようとする課題】
しかしながら、上記した従来の法枠用型枠では次のような課題があった。
即ち、クリンプ金網で形成された法枠用型枠の枠体は、波形状のピッチの作用で線材がずれにくい構造であるため、外端部にずれ防止のための手段を設けずに、単に縦横の線材を切断して所定の形状にしたものが使用されている。したがって、枠体の上端縁には、鋭利な多数の縦線材端部が剥きだしになって突出している。
このため、作業中（法枠構造体の施工中）にその縦線材端部に接触して指を切ったり、衣服を引っ掛けて破ったりする等危険であり、取り扱いに注意を要していた。また、モルタル類を流し込む際にホース等を引っ掛けて損傷させやすいといった欠点もあった。
【０００５】
更に、高速道路の法面の補強工事など、施工箇所によっては作業者が命綱を付けて作業する場合がある。しかしながら、枠体の上端縁から鋭利な縦線材端部が突出していると、命綱が縦線材端部に引っ掛りやすいので、作業者が円滑に移動できず危険であった。
また、上記したように、作業中の命綱やモルタル類を流し込むためのホースなどが引っ掛かると、枠体側にも破損を生じさせる可能性が高かった。
【０００６】
また更に、モルタル類を流し込んで打設したコンクリート表面をコテで仕上げる際に、コテが縦線材端部に引っ掛かるので作業がしにくく、きれいな仕上がり面も得にくかった。
【０００７】
（発明の目的）
そこで、本発明の目的は、上記課題を解消するもので、安全で取り扱いがしやすく、法枠構造体の施工を円滑に行うことができる法枠用型枠及びそれを使用した法枠構造体を提供することにある。
【０００８】
【課題を解決するための手段】
第１の発明にあっては、
縦線材と横線材を含む金網で構成されており、縦線材の上端部を曲げて上端縁の横線材に取り付けてある一対の枠体と、
上記枠体を所要の間隔で向かい合わせに取り付ける連結部材と、
を備えていることを特徴とする、
法枠用型枠である。
【０００９】
第２の発明にあっては、
縦線材と横線材を含むクリンプ金網で構成されており、縦線材の上端部を曲げて上端縁の横線材に取り付けてある一対の枠体と、
縦線材と横線材を含んで形成してあり、当該横線材の両端部を上記枠体の縦線材に回動可能に取り付けて、上記枠体を所要の間隔で向かい合わせに取り付ける連結部材と、
を備えていることを特徴とする、
法枠用型枠である。
【００１０】
第３の発明にあっては、
縦線材の曲げ部分は、交互に逆方向に曲げられていることを特徴とする、
第１または第２の発明に係る法枠用型枠である。
【００１１】
第４の発明にあっては、
法枠用型枠に使用される枠体であって、
縦線材と横線材を含むクリンプ金網で構成されており、縦線材は上端部となる部分を曲げて上端縁となる横線材に取り付けてあり、
縦線材の曲げ部分は、交互に逆方向に曲げられていることを特徴とする、
法枠用型枠に使用される枠体である。
【００１２】
第５の発明にあっては、
法面に施工された鉄筋と、
上記鉄筋に固定された第１、第２または第３の発明に係る法枠用型枠と、
上記法枠用型枠内に設けられるコンクリートと、
を含むことを特徴とする、
法枠用構造体である。
【００１３】
本発明でいう「金網」は、枠体内にモルタル類を流し込んで充填したときに、このモルタル類の圧力により変形しにくい強度を有していれば、その種類は特に限定するものではない。例えば、クリンプ金網や、直線状の縦線材と横線材とを有し、交差部を溶接して成形した溶接金網等を使用することができる。
【００１４】
連結部材は、例えば線材を略「井」形状（格子状）や略「キ」形状（串状）に組んで形成したもの、あるいは後述するような略「門」形状に組んで形成したもの等が挙げられるが、特にこれに限定するものではない。
略「門」形状に組んで形成した連結部材とは、下部に解放された装着部を有しており、法枠構造体の施工の際に、予め設置してある鉄筋籠に上部から被せるようにして取り付けることができるものを指称している。
【００１５】
（作  用）
法枠用型枠の枠体を構成する縦線材の上端部は、上端縁の横線材に曲げて取り付けてある。よって、単に縦線材を切断して上端縁に切断面が剥きだしとなっている従来の枠体と相違して、縦線材の上端縁は丸くなっている。したがって、法枠構造体の施工中に人や物が枠体の上端縁に接触しても、引っ掛かる等の不都合は生じにくい。
【００１６】
【発明の実施の形態】
本発明を図面に示した実施の形態に基づき更に詳細に説明する。
図１は本発明に係る法枠構造体の一実施の形態を示しており、一部を拡大し、便宜的にコンクリート部分の一部を切除して内部構造を表した状態の斜視説明図、
図２は法枠構造体を構成する法枠用型枠を断面した状態を示す正面視説明図、
図３は法枠用型枠を構成する枠体の上部側を示す要部拡大側面図、
図４は図３に示す枠体の縦断面を示す説明図であり、図４（i）は図３のＩ−Ｉ断面を示し、図４（ii）は図３のII−II断面を示している。
なお、図４において、縦線材の向こう側（奥側）に見える縦線材は、便宜上、図示を省略している。
【００１７】
図１，２を参照する。
符号Ａは、鉄筋コンクリート製の法枠構造体Ｂを形成するための法枠用型枠を示している。法枠用型枠Ａは、所要間隔をおいて対向するように配置してある一対の枠体１，１と、この枠体１，１の間に設けられ、枠体１の長さ方向に所要間隔をおいて所要数設けてある連結部材２・・・を備えている。
【００１８】
枠体１は、図３に示すように、波形状の連続した湾曲部を有する縦線材１１・・・と横線材１２・・・とを編成したクリンプ金網で形成されている。そして、図４に示すように、上端部の縦線材端部１１１を略輪状（フック状）に曲げて、上端縁の横線材１２ａに取り付けてある。
この縦線材端部１１１は、図４（i），（ii）に示すように、波形状である縦線材１１の編成に合わせ、左右交互に曲げられている。
【００１９】
連結部材２は、図１，２に示すように、直線棒状の縦線材２１と横線材２２を垂直に交差させて略「井」形状（格子状）に組み、交差部２３を溶接により固定して形成されている。横線材２２の両端部には、端側を略輪状に曲げて形成された連結部２２０が設けてある。各連結部材２は、連結部２２０を縦線材１１に回動可能に係合することで、枠体１，１間に架け渡して連結されている。
【００２０】
図１，２を参照して、法枠構造体Ｂの施工方法を説明する。なお、法枠構造体の施工手順は、以下に示すものに限定されるものではない。
【００２１】
1. 法枠用型枠Ａは、両側の枠体１，１を相互に逆方向にずらすことにより、長さ方向に倒して折り畳むことができる。これにより、通常、法枠用型枠Ａは工場から折り畳んだ状態で搬出され、現場で開いて使用される。
【００２２】
2. 法枠構造体Ｂを形成する法面上に、骨部材である下鉄筋３１を格子状に配筋する。このとき下鉄筋３１は、法面上に単に載置された状態となっている。なお、下鉄筋３１は所要間隔をおいて並設してある。
【００２３】
3. 下鉄筋３１の回りに、これを囲むようにして法枠用型枠Ａを枠組し、下鉄筋３１と法枠用型枠Ａを番線等（図示省略）により結束して固定する。
法面上に載置してある下鉄筋３１は持ち上げられて、対応する箇所にある連結部材２の下部（通常、縦線材２１と横線材２２の交差部分）と結束される。これで下鉄筋３１は、法面上から浮いた状態となり、後述するコンクリート４打設時にモルタル類が下鉄筋３１の下方にも流れ込むようになる。
【００２４】
4. アンカーを地中に打ち込んで、アンカーと法枠用型枠Ａを番線等（図示省略）により固定し、下鉄筋３１と法枠用型枠Ａを法面上に設置する。
下鉄筋３１が交差する部分には、通常、比較的全長の長い主アンカー５が打ち込まれる。更に、それ以外の箇所には、やや短めの補助アンカー６が所要のピッチで打ち込まれる。
なお、図示はしていないが、隣り合う法枠用型枠Ａ同士は、番線等で連結して固定される。
【００２５】
5. 配筋した下鉄筋３１と同様に、更に上鉄筋３２を連結部材２の上部（通常、縦線材２１と横線材２２の交差部分）に配筋し、上鉄筋３２と連結部材２を番線等（図示省略）により固定する。上鉄筋３２は、下鉄筋３１と同様に所要間隔をおいて並設される。
【００２６】
6. モルタル類を流し込んで鉄筋３１，３２と法枠用型枠Ａ等を埋め込み、最後にコンクリート４表面をコテで仕上げて法枠構造体Ｂの施工を終了する。
【００２７】
（作  用）
図面を参照して、法枠用型枠Ａの作用を説明する。
法枠用型枠Ａを構成する枠体１の縦線材端部１１１は、略輪状（フック状）に曲げて上端部の横線材１２ａに取り付けてある。よって、単に縦線材を切断して上端縁に切断面が剥きだしとなっている従来の枠体と相違して、縦線材１１の上端縁（縦線材端部１１１）は丸くなっている。したがって、法枠構造体Ｂの施工中に人や物が枠体１の上端縁に接触しても、引っ掛かる等の不都合は生じにくい。
【００２８】
具体的には、作業中（法枠構造体Ｂの施工中）に、作業者が縦線材端部１１１に接触して怪我をしたり、衣服を引っ掛けて破ってしまうなどの不都合は生じにくい。
【００２９】
モルタル類を流し込む際に、ホース等を引っ掛けて損傷させることを防止できる。また、コンクリート４表面をコテで仕上げる際にもコテが引っ掛かりにくいので、コテの操作を円滑に行うことができ、きれいな仕上げ面を得ることができる。
【００３０】
高速道路の法面の補強工事などにおける命綱を使用した作業においても、命綱が引っ掛からず、作業者が円滑に移動でき作業がしやすい。
【００３１】
上記したように、作業中の命綱やモルタル類を流し込むためのホース等の引っ掛かりを防止できるので、それによる枠体１側の破損も防ぐことができる。
【００３２】
法枠構造体Ｂの上面から枠体１の縦線材端部１１１の切断面が露出することがないので、当該部分からの錆の発生を防止することができ、結果的に法枠構造体Ｂの強度や法枠用型枠Ａとコンクリート４の密着性が低下するなどの不都合は生じにくい。
【００３３】
なお、本明細書で使用している用語と表現はあくまで説明上のものであって、限定的なものではなく、上記用語、表現と等価の用語、表現を除外するものではない。また、本発明は図示の実施の形態に限定されるものではなく、技術思想の範囲内において種々の変形が可能である。
【００３４】
【発明の効果】
本発明は上記構成を備え、次の効果を有する。
法枠用型枠の枠体を構成する縦線材の上端部は、上端縁の横線材に曲げて取り付けてある。よって、単に縦線材を切断して上端縁に切断面が剥きだしとなっている従来の枠体と相違して、縦線材の上端縁は丸くなっている。したがって、法枠構造体の施工中に人や物が枠体の上端縁に接触しても、引っ掛かる等の不都合は生じにくい。以上のようなことから、本発明に係る法枠用型枠は安全で取り扱いがしやすく、この法枠用型枠を使用することによって法枠構造体の施工を円滑に行うことができる。
【図面の簡単な説明】
【図１】本発明に係る法枠構造体の一実施の形態を示しており、一部を拡大し、便宜的にコンクリート部分の一部を切除して内部構造を表した状態の斜視説明図。
【図２】法枠構造体を構成する法枠用型枠を断面した状態を示す正面視説明図。
【図３】法枠用型枠を構成する枠体の上部側を示す要部拡大側面図。
【図４】図３に示す枠体の縦断面を示す説明図であり、図４（i）は図３のＩ−Ｉ断面を示し、図４（ii）は図３のII−II断面を示す。
【符号の説明】
Ａ  法枠用型枠
Ｂ  法枠構造体
１  枠体
１１  縦線材
１１１  縦線材端部
１２，１２ａ  横線材
２  連結部材
２１  縦線材
２２  横線材
２３  交差部
２２０  連結部
３１  下鉄筋
３２  上鉄筋
４  コンクリート
５  主アンカー
６  補助アンカー